(57)【要約】      （修正有）【課題】帆立貝の収穫時における帆立貝のロープからの扱き離脱時に、同時に係止ピンをロープから離脱除去可能とする帆立貝の係止ピン及び帆立貝の収穫方法を提供する。【解決手段】ロープに長さ方向に直交するように設けた貫通孔に通した係止ピン１の先端部の係止部に帆立貝を吊り下げ保持し、海中にロープを垂らして行う帆立貝の養殖方法において、係止ピン１のロープ抜止片６，６間には一定の力で破断する切り込み７Ｃを有し、生育後の帆立貝を吊り下げているロープを海中から巻揚機等で引き上げ、ロープを扱き部材間に通し、扱き部材間には、ロープの太さよりも若干大きい狭隘部を有し、扱き部材間の狭隘部間にロープを通し、帆立貝を扱き部材に引っ掛け、切り込み７Ｃを破断させることで、ロープから帆立貝を扱き落とすとともに、破断した係止ピン１をロープから抜き出すようにした帆立貝の収穫方法。【選択図】図１４
2019022485.tif 000002
【特許請求の範囲】
【請求項１】
軸部の両端部に帆立貝の耳片の耳吊り孔に挿入して係止する係止部を有し、軸部の中間部に一対のロープ抜止片を有し、各部全一体的に樹脂で成形した帆立貝養殖用の係止ピンにおいて、
前記係止ピンの前記ロープ抜止片間の外周には、育成中の帆立貝の重さよりも大きい力が、該係止ピンに掛かった時に破断する脆弱部を有し、
前記脆弱部は、前記ロープ抜止片間の外周に形成した切り込みをである、
ことを特徴とする帆立貝養殖用の係止ピン。
【請求項２】
前記切り込みは、前記ロープ抜止片間の外周の一部に設けたことを特徴とする請求項１に記載の帆立貝養殖用の係止ピン。
【請求項３】
前記切り込みは、前記ロープ抜止片間の外周の全周に設けたことを特徴とする請求項１又は請求項２に記載の帆立貝養殖用の係止ピン。
【請求項４】
前記切り込みは、前記抜止片間の外周の上下に設けた切り込みであることを特徴とする請求項１又は請求項２に記載の帆立貝養殖用の係止ピン。
【請求項５】
ロープに長さ方向に直交するように設けた貫通孔に係止ピンを通し、係止ピンを該貫通孔の両側部に設けたロープ抜止片でロープに保持させ、この係止ピンの先端部の係止部に帆立貝の耳片に設けた係止孔を介して保持し、ロープの長さ方向に所定間隔を開けて前記係止ピンで多数の帆立貝を吊り下げ保持し、海中に該ロープを垂らして吊り下げ養殖するようにした帆立貝の養殖方法において、
前記ロープに貫通係止した前記係止ピンのロープ抜止片の間には一定の力で破断する脆弱部を有し、
前記脆弱部は、前記ロープ抜止片間の外周に形成した切り込みをであり、
生育後の帆立貝を吊り下げているロープを海中から巻揚機等で引き上げ、
前記ロープを扱き部材間に通し、
前記扱き部材間には、前記ロープの太さよりも若干大きい狭隘部を有し、前記扱き部材間の前記狭隘部間に前記ロープを通し、
前記帆立貝を前記扱き部材に引っ掛け、前記切り込みからなる脆弱部を破断させることで、前記ロープから前記帆立貝を扱き落とすことで収穫するとともに、破断した係止ピンをロープから抜き出すようにした、
ことを特徴とする帆立貝の収穫方法。
【請求項６】
前記切り込みは、前記ロープ抜止片間の外周の一部に設けた切り込みであることを特徴とする請求項５に記載の帆立貝の収穫方法。
【請求項７】
前記切り込みは、前記ロープ抜止片間の外周の全周に設けた切り込みであることを特徴とする請求項５に記載の帆立貝の収穫方法。
【請求項８】
前記切り込みは、前記ロープ抜止片間の外周の上下に設けた切り込みであることを特徴とする請求項５に記載の帆立貝の収穫方法。
【発明の詳細な説明】
【技術分野】
【０００１】
本発明は、帆立貝の吊り下げ養殖に用いる係止ピン及び帆立貝の収穫方法の改良に関するものである。
【背景技術】
【０００２】
ロープに係止ピンを介して帆立貝を係止、保持し、このロープを海中に垂らし、帆立貝を海中に吊り下げて養殖する帆立貝の垂下式養殖（耳吊り式養殖）は知られている（特許文献１参照）。
【先行技術文献】
【特許文献】
【０００３】
【特許文献１】特開２０１１−０８３２２１号公報
【発明の概要】
【発明が解決しようとする課題】
【０００４】
図２５〜図２８は、帆立貝養殖法の説明図である。
図２５は、係止ピン１００を示し、係止ピン１００は、軸部１０１の両端部に先鋭な挿入部１０２，１０２を有し、挿入部１０２，１０２の軸方向内方部位に内方且つ径方向外方に傾斜突出する起立片からなる係止部１０３，１０３を有する。
軸部１０１の軸方向中間部位には、「ハ」字形に一対のロープ抜止片１０４，１０４を起設している。
以上の係止ピン１００は、樹脂、例えば６６ナイロンを用い、各部全一体に成形されている。
【０００５】
図２６は、ロープ１１０に係止ピンを介して帆立貝１２０を吊り下げ保持した状態を示し、図２６は要部の拡大図であり、図２７は全体図である。
ロープ１１０に、係止ピン１００を貫通孔１１１（取付孔）を介して長さ方向と直交する方向に貫通させて挿通する。
係止ピン１００の両端部の係止部１０３，１０３に、帆立貝１２０，１２０を耳片１２１に形成した係止孔を介して挿通保持する。図２７に示したように、帆立貝１２０，１２０はロープ１１０の長さ方向に離間して貫通保持した係止ピン１００により、ロープ１１０に保持される。
【０００６】
ところで、係止ピン１００は、軸部１０１の中間部１０５周に設けた抜止片１０４，１０４間にロープ１１０が位置し、抜止片１０４，１０４間の軸部中間部１０５が、ロープの貫通孔からなる取付孔１１１に挿通している。抜止片１０４，１０４で、係止ピン１００のロープ１１０からの抜脱は阻止される。
ロープ１１０は、外径が例えば６〜８ｍｍであり、長さは例えば１０〜１５ｍであり、
７〜８ｃｍ長の係止ピン１００…（…は複数を表す、以下同じ）を１０〜１３ｃｍピッチでロープに、ロープの長さ方向に直交する方向に、貫通・保持させる。各係止ピン１００…の両端部に、帆立貝１０２の耳片を係止・保持されている。
図２７は、帆立貝の養殖状態を示す説明図である。
【０００７】
このように、海中に、縦に帆立貝の稚貝をロープを介して垂下して侵浸し、帆立貝の養殖を行う。養殖期間は１０ヶ月〜１２ヶ月である。
図２８は、図２７の状態から帆立貝１２０…が生育した状態を示しており、生育した帆立貝１２０…の重量もあって、係止ピン１００は、ロープ１１０を中心として逆Ｕ字形に曲がり、係止ピン１００…は、抜止片１０４，１０４でロープ１１０の掛止孔１１１から脱落しないように保持される。
ところで、ロープ１１０に係止ピン１００…で保持された帆立貝１２０…を、海中に垂下・保持した状態で養殖を行うものであるが、実際には、垂下したロープや帆立貝に、イガイ（ヒルガイ）、フジツボ、ホヤ等の付着物（雑物）が付着するが、図では理解の便のため雑物を外した状態で示している。
【０００８】
図２９は、帆立貝の収穫作業の一例を示す説明図である。
生育後の帆立貝１２０…は、例えば、収穫船１３０上に水揚げされ、ロープ１１０から取り外され、収穫される。
海中に投入されているロープ１１０は、ガイドプーリ１３２を通ってモータで駆動される水揚げプーリ１３１（巻き揚げ機）で、船上に引き上げられる。
【０００９】
ロープ１１０の引き上げに際し、プーリ１３１，１３２の間には、二股状、或いはＹ字形等の扱き部材１３３が配設されており、係止ピン１００で保持された帆立貝１２０を含むロープ１１０を、例えば二股状の扱き部材１３３，１３３間を通す。
扱き部材１３３，１３３の二股状部材間には、図３０に示したように、ロープ１１０の外径よりも大きい隙間からなる狭隘部１３４が設けられている。この狭隘部１３４に、水揚げプーリ１３１で引き上げられる係止ピン及び帆立貝を含むロープ１１０を通す。
【００１０】
図３０は、扱き部材１３３，１３３間をロープ１１０が通過し、扱かれる状態を示している。
生育後の帆立貝を吊り下げ、保持しているロープ１１０は、水揚げプーリ１３１の巻き上げ力で矢印のように引っ張られる。
扱き部材１３３，１３３間を、ロープ１１０が通過する際、ロープ１１０両側の扱き部材１３３，１３３の内側面に、ロープ１１０に係止ピン１００を介して保持されている帆立貝１２０，１２０が当接する。
帆立貝１２０，１２０の移動は、扱き部材１３３，１３３で阻止され、一方ロープ１１０は、矢視印方向に移動し、係止ピン１００は残留し、係止ピン１００はロープ１１０の取付孔１１１に通っている軸部中間部１０５を含んで軸部１０１が引張され、延伸することとなる。
この状態を図３０で示した。
【００１１】
扱き部材１３３，１３３間で、扱き部材１３３により帆立貝１２０，１２０移動は阻止され、一方、ロープ１１０は移動し、残留する帆立貝１２０，１２０により係止ピン１００は引張、延伸され、最終的には係止ピン１００は弱い部分から破断する。
例えば、図３１では、係止部１０３の部分から帆立貝１２０は外れて離脱し、自由となり、収穫される。
【００１２】
図３２では、一方の帆立貝１２０が、係止ピン１００の軸部１０１の一方の抜止片１０４Ａの外側部位から破断して自由となったり、他方が、係止部１０３の部位でこの部分の変形で抜脱したりし自由となる。
このように帆立貝１２０は、係止ピン１００から外れ、図２９に示すように扱き部材１３３の下方に配置した収穫籠１３４に収容され、収穫される。
【００１３】
以上のように水揚げに際し、扱き部材１３３，１３３間をロープ１１０が通る際、図３１、図３２で説明したように、帆立貝１２０，１２０は扱き落とされるが、一方係止ピン１００は、抜止片１０４，１０４が、ロープ１１０の貫通孔１１１（取付孔）周辺部に引っ掛かり、ロープ１１０から抜脱するのが阻害される。
【００１４】
この結果、帆立貝１２０が離脱した後の係止ピン１００の一部は、ロープ１１０に残留することとなる。
図３３は、帆立貝が扱き落とされ、帆立貝水揚げ後の裸のロープを示した図で、要部を拡大した図であり、図３４は、全体図である。
【００１５】
係止ピン１００の破断は様々であり、一義的な破断はなされないが、抜止片１０４，１０４によって、係止ピン１００は、ロープ１１０の取付孔１１１からの抜け出しが阻害され、図３３、図３４に示したようにロープ１１０に残留する。
一本のロープに残留する係止ピンの数は、例えば１００本以上と極めて多数であり、ロープ１１０を再使用する際に、残留係止ピンは邪魔となり、これを一々除去する必要がある。
この係止ピンの除去作業は、手作業に頼らざるを得ず、多大の労力と時間とを要する。
図３５は、ロープから取り外した係止ピンを示しており、このように種々の形態で係止ピンは帆立貝離脱後のロープに残留することとなる。
【００１６】
本発明は、帆立貝収穫後のロープに多数の係止ピンが残留すること、残留係止ピンの除去に多大の労力と時間を要することの上記した従来技術の課題を解決すべくなされたものである。
本発明は、帆立貝の収穫時における帆立貝のロープからの扱き離脱時に、帆立貝の掻き落とし離脱と同時に、係止ピンを、ロープから自動的に離脱除去可能とする帆立貝の係止ピン及び帆立貝の収穫方法を提供することを目的とする。
【課題を解決するための手段】
【００１７】
上記課題を解決するために請求項１に係る発明は、軸部の両端部に帆立貝の耳片の耳吊り孔に挿入して係止する係止部を有し、軸部の中間部に一対のロープ抜止片を有し、各部全一体的に樹脂で成形した帆立貝養殖用の係止ピンにおいて、前記係止ピンの前記ロープ抜止片間の外周には、育成中の帆立貝の重さよりも大きい力が、該係止ピンに掛かった時に破断する脆弱部を有し、前記脆弱部は、前記ロープ抜止片間の外周に形成した切り込みをであることを特徴とする。
【００１８】
請求項２に係る発明は、請求項１において、前記切り込みは、前記ロープ抜止片間の外周の一部に設けたことを特徴とする。
【００１９】
請求項３に係る発明は、請求項１又は請求項２において、前記切り込みは、前記ロープ抜止片間の外周の全周に設けたことを特徴とする。
【００２０】
請求項４に係る発明は、請求項１又は請求項２において、前記切り込みは、前記ロープ抜止片間の外周の上下に設けた切り込みであることを特徴とする。
【００２１】
請求項５に係る発明は、ロープに長さ方向に直交するように設けた貫通孔に係止ピンを通し、係止ピンを該貫通孔の両側部に設けたロープ抜止片でロープに保持させ、この係止ピンの先端部の係止部に帆立貝の耳片に設けた係止孔を介して保持し、ロープの長さ方向に所定間隔を開けて係止ピンで多数の帆立貝を吊り下げ保持し、海中に該ロープを垂らして吊り下げ養殖するようにした帆立貝の養殖方法において、前記ロープに貫通係止した前記係止ピンの前記ロープ抜止片の間には、一定の力で破断する脆弱部を有し、前記脆弱部は、前記ロープ抜止片間の外周に形成した切り込みをであり、生育後の帆立貝を吊り下げているロープを海中から巻揚機等で引き上げ、ロープを扱き部材間に通し、扱き部材間には、前記ロープの太さよりも若干大きい狭隘部を有し、前記扱き部材間の狭隘部間にロープを通し、帆立貝を扱き部材に引っ掛け、前記切り込みからなる脆弱部を破断させることで、ロープから帆立貝を扱き落とすことで収穫するとともに、破断した係止ピンをロープから抜き出すようにしたことを特徴とする。
【００２２】
請求項６に係る発明は、請求項５において、前記切り込みは、前記ロープ抜止片間の外周の一部に設けた切り込みであることを特徴とする。
【００２３】
請求項７は、請求項５において、前記切り込みは、前記ロープ抜止片間の外周の全周に設けた切り込みであることを特徴とする。
【００２４】
請求項８に係る発明は、請求項５において、前記切り込みは、前記ロープ抜止片間の外周の上下に設けた切り込みであることを特徴とする。
【発明の効果】
【００２５】
請求項１に係る発明では、係止ピンのロープ抜止片間の外周には、育成中の帆立貝の重さよりも大きい力が、該係止ピンに掛かった時に破断する切り込みからなる脆弱部を有するので、帆立貝の水揚げ時に帆立貝に大きな力を作用させることで係止ピンは抜止片内側の脆弱部である切り込みから切断され、帆立貝をロープから離脱させて収穫を円滑に行わせるとともに、係止ピンをロープから離脱させることができる。
【００２６】
特に本発明では、係止ピンの脆弱部を、ロープ抜止片間の外周に設けた切り込みとしたので、脆弱部の形成が容易であり、又帆立貝収穫時の帆立貝の離脱、係止ピンのロープからの離脱が確実である。
【００２７】
請求項２〜４では、切り込みを、ロープ抜止片間の外周の一部に設け、又切り込みをロープ抜止片間の外周の全周に設け、更に切り込みを抜止片間の外周の上下に設けたので、請求項１の効果に加えるに、脆弱部の形成が容易であり、又帆立貝収穫時の帆立貝の離脱、係止ピンのロープからの離脱が確実である。
【００２８】
請求項５に係る発明では、ロープに長さ方向に直交するように設けた貫通孔に係止ピンを通し、係止ピンを該貫通孔の両側部に設けたロープ抜止片でロープに保持させ、この係止ピンの先端部の係止部に帆立貝の耳片に設けた係止孔を介して保持し、ロープの長さ方向に所定間隔を開けて前記係止ピンで多数の帆立貝を吊り下げ保持し、海中に該ロープを垂らして吊り下げ養殖するようにした帆立貝の養殖方法において、ロープに貫通係止した係止ピンのロープ抜止片の間には一定の力で破断する脆弱部を有し、脆弱部は、ロープ抜止片間の外周に形成した切り込みをであり、生育後の帆立貝を吊り下げているロープを海中から巻揚機等で引き上げ、ロープを扱き部材間に通し、扱き部材間には、ロープの太さよりも若干大きい狭隘部を有し、扱き部材間の狭隘部間にロープを通し、帆立貝を前記扱き部材に引っ掛け、脆弱部を破断させることでロープから帆立貝を扱き落とすことで収穫するとともに、破断した係止ピンをロープから抜き出すようにした。
ロープによる帆立貝の垂下式養殖において、帆立貝の収穫時に水揚げのためロープを引き上げ、帆立貝を扱き部材間を通すことで帆立貝にロープから抜脱する方向に力が作用し、帆立貝をロープに保持している係止ピンが切り込みで構成された脆弱部から破断することで、帆立貝をロープから離脱する。
【００２９】
この結果、係止ピンはロープに保持する抜止片間の脆弱部を構成する切り込みから破断し、抜止片による係止ピンのロープへの拘束は消滅し、従って、係止ピンによるロープへの係止、保持力が消滅し、帆立貝の収穫時に、係止ピンの切り込みからなる切り込みからなる
脆弱部が優先的に破断し、併せて係止ピンの抜止片はロープに外側に位置して抜止片間が破断することで、帆立貝とともに係止ピンは抜止片の規制が解除されることで、破断した係止ピンはロープから帆立貝とともに抜脱することとなる。
【００３０】
従って本発明によれば、帆立貝の収穫時に、帆立貝の離脱収穫とともに係止ピンもロープから併せて自動的に抜脱することができる。
仍って、従来必要であった帆立貝収穫後のロープに発生する残留ピンの存在は無くなり、残留係止ピンの手作業による除去作業は全く不要となる。
従って、ロープの養殖のための再使用を迅速、円滑且つ容易に行わせ、労力の軽減、時間経済性の向上、養殖コストの低減をはかることができる。
【００３１】
請求項６〜８によれば、切り込みをロープ抜止片間の外周の一部に設けた切り込みとし、又切り込みをロープ抜止片間の外周の全周に設け、更に切り込みをロープ抜止片間の外周の上下に設けたので、帆立貝収穫時の帆立貝の離脱、係止ピンのロープからの離脱が円滑に、容易に、確実に、効率的になされる。
【図面の簡単な説明】
【００３２】
【図１】（ａ）は本発明の第１実施例に係る帆立貝養殖用の係止ピンの全体を示す正面図、（ｂ）は（ａ）のｂ部の拡大図で要部を断面とした図である。
【図２】係止ピンに帆立貝を係止し、ロープに吊り下げて実施する帆立貝の垂下式養殖の部分拡大図である。
【図３】図２の垂下式養殖の全体を示す図である。
【図４】帆立貝の垂下式養殖法及び垂下式養殖装置の全体を示す説明図である。
【図５】養殖した帆立貝の生育が進み、収穫が近い状態を示す図である。
【図６】図５の要部拡大図である。
【図７】帆立貝の収穫作業を示す説明図である。
【図８】扱き部材間をロープが通過し、扱かれる状態を示す説明図である。
【図９】図８の丸で囲んだ９部の拡大断面図である。
【図１０】（ａ）〜（ｃ）は係止ピンの脆弱部の切断過程を示す説明図で、（ａ）は力がかかった初期の状態を示す図、（ｂ）は脆弱部の破断初期の状態を示す図、（ｃ）は脆弱部が破断した状態を示す図である。
【図１１】係止ピンが脆弱部から破断し、ロープから帆立貝が分離し、且つ係止ピンがロープから離脱した状態を示ス図である。
【図１２】図１１の丸で囲んだ１２部の拡大断面図である。
【図１３】変更例を示す図で、係止ピンの要部のみを示す図である。
【図１４】他の変更例を示す図で、係止ピンの要部のみを示す図である。
【図１５】本発明に係る係止ピンの第２実施例の全体を示す正面図である。
【図１６】図１５の要部の拡大図である。
【図１７】図１６の１７−１７線断面図である。
【図１８】第２実施例に係る係止ピンをロープに挿通係止する挿通作業の一例を示す図で、（ａ）はロープへの穿孔直前の状態を示す図、（ｂ）は穿孔後の状態を示す図、（ｃ）は係止ピンを挿入する直前の状態を示す図、（ｄ）は係止ピン挿入後の状態を示す図である。
【図１９】第２実施例に係る係止ピンを帆立貝を係止保持させた状態を説明する図である。
【図２０】第２実施例に係る係止ピンを用いて養殖した帆立貝の生育が進み、収穫が近い状態を示す図である。
【図２１】第２実施例に係る係止ピンを用いる収穫時における扱き部材間をロープが通過し、扱かれる状態を示す説明図である。
【図２２】係止ピンの第２実施例の変更例を示す正面図である。
【図２３】係止ピンの脆弱部の放射壁部の変更例を示す図１７と同様の断面図である。
【図２４】係止ピンの脆弱部の放射壁部の更なる変更例を示す図１７と同様の断面図である。
【図２５】従来の係止ピンを正面図である。
【図２６】係止ピンでロープに帆立貝を係止した状態を示す拡大図である。
【図２７】図２６の全体を示す図である。
【図２８】図２７の状態から帆立貝の生育が進んだ状態を示す説明図である。
【図２９】帆立貝の収穫作業を示す説明図である。
【図３０】扱き部材間を    ロープが通過し、扱かれ、帆立貝を取り外す状態を説明する図である。
【図３１】扱き部材間をロープが通り、帆立貝が係止ピンから離脱する状態の一例を示す図である。
【図３２】扱き部材間をロープが通り、帆立貝が係止ピンから離脱する状態の他の一例を示す図である。
【図３３】帆立貝が扱き落とされ、帆立貝水揚げ後の裸のロープを示した図で、要部を拡大した図である。
【図３４】帆立貝が扱き落とされ、帆立貝水揚げ後の裸のロープを示した図で、全体図である。
【図３５】ロープから取り外した係止ピンを示す説明図である。
【発明を実施するための形態】
【００３３】
本発明の実施の形態を添付図に基づいて以下に説明する。なお、図面は符号の向きに見るものとする。
図１は本発明の第１実施例に係る帆立貝養殖用の係止ピンを説明する図であり、（ａ）
は係止ピンの全体を示す正面図、（ｂ）は図１（ａ）のｂ部の拡大図で、要部を断面とし
た図である。
【００３４】
係止ピン１は、丸棒状の軸部２の両端部を尖鋭な挿入部３，３とし、両端部の挿入部３，３の軸方向内方部位に軸方向内方で対称的に上傾した係止片を突設し、係止部４，４を構成する。
軸部２の軸方向中間部５には、長さ方向に離間して一対の抜止片６，６を径方向外方に突設して備え、抜止片６，６は「ハ」字形に配置される。
抜止片６，６の間隔は、後述するロープの外径と一致するか、或いはこれより若干大きいものとする。
【００３５】
尚、抜止片６，６を実施例では「ハ」字形としたが、二つの抜止片を軸部２の中間部５の上下方向に突出するように設け、即ち一方が上方に突出し、他方が下方に突出し、突出方向は互いに軸方向内方に向くように、斜めに向かい合うように設けることで抜け止め作用を保持させる構造でも良い。
【００３６】
以上の係止ピン１の軸部２の中間部５の中央部には、脆弱部７を設ける。
脆弱部７は、後述の帆立貝を係止ピン１の両端の係止部４，４に係止、保持した状態で、且つ、育成中の帆立貝の重さ、従って生育後、収穫時における帆立貝の重さよりも大きい力が、係止ピン１に掛かった際に破断する脆弱部７とする。
【００３７】
脆弱部７は、丸棒状の軸部２の中間部５の外周から切り込みを円周上に設け、参考例では、Ｖ字形の溝状の切り込みからなる脆弱部とした。
係止ピン１は各部全一体に樹脂で成形し、例えば、前記したように６６ナイロンを用いる。
【００３８】
６６ナイロンを係止ピンの素材として用いた場合、帆立貝を係止して海中に侵浸した際に海中で水分を吸収し、これにより少し柔らかくなり、また、伸ばすと約３倍程度延伸するために係止ピンの素材として好ましい。
係止ピン１は、例えば軸部２の全長が６４ｍｍ〜６７ｍｍであり、挿入部３，３から係止部４，４の基部までの長さが、例えば７ｍｍ〜１０ｍｍであり、又係止ピン１の軸部２は、最も径が大きい部分での直径が１．４〜１．８ｍｍである。
【００３９】
図２は係止ピンに帆立貝を係止し、ロープに吊り下げて実施する帆立貝の垂下式養殖の部分拡大図、図３は同全体を示す図、図４は垂下式養殖の説明図である。
ロープ２０は、例えば１０〜１５ｍの長さであり、ロープ２０に、径方向に貫通する取付孔２１…を、例えば１０〜１３ｃｍピッチで穿設し、係止ピン１を取付孔２１…に挿通する。
【００４０】
以上において、係止ピン１は、ロープ２０が軸部２の中間部５の「ハ」字形に突設した抜止片６，６間に位置し、ロープ２０の取付孔２１…周辺部に抜止片６，６が位置し、抜止片６，６により、取付孔２１から係止ピン１…が抜け出すのが阻止される。
このように係止ピン１…は、両端部に帆立貝１０，１０を係止、保持してロープ２０の長さ方向に直交する方向に多数貫通・保持される。
【００４１】
係止ピン１の両端部には、帆立貝１０，１０、初期の状態では稚貝を耳片１１，１１に穿設した係止孔を介して吊り下げ保持する。
耳片１１，１１の係止孔は、係止ピン１の尖鋭な挿入部３，３を通過してその軸方向内方部位に設けた係止部４，４（係止片）の軸方向内方部分に臨み、係止ピン１の両端部位に抜脱不能に係止、保持される。
この状態を拡大して図２で示した。又全体を図３で示した。
ところで、係止ピン１の軸部２の中間部５に設けたＶ字形の溝からなる脆弱部７は、ロープ２０の取付孔２１の長さ方向の中間部に位置することとなる。
【００４２】
耳吊り式の帆立貝養殖法及び養殖装置全体の一例を、図４の説明図で示した。
海底３０に固定したアンカー３１，３１に基端部を固定したアンカーロープ３２，３２の先端部（上端部）間に横ロープ３３を結束し、横ロープ３３には、長さ方向（横方向）に間隔を開けて複数箇所を浮体３４…に結束する。これにより、横ロープ３３を海面３５下の所定深さに保持する。
【００４３】
横ロープ３３には、長さ方向に所定間隔で複数のロープ２０…を吊り下げる。
各ロープ２０…の夫々には、各ロープ２０…の長さ方向（縦方向）に所定ピッチで係止ピン１…が、前記したように貫通、係止されており、各係止ピン１…の両端部に帆立貝１０，１０の耳片１１，１１を係止し、帆立貝１０…が吊り下げ保持される。
尚、横ロープ３３…の両端部と、アンカーロープ３２，３２の連結部等には、海面上に上半部が露出する露出浮体３６…を連結し、海面における養殖場所の目印とする。
以上により帆立貝の垂下式養殖（耳吊式養殖）を実施する。
【００４４】
図５は、養殖した帆立貝の生育が進み、収穫が近い状態を示す図であり、図６は図５の要部拡大図である。
図に示すように、帆立貝は成長し、係止ピン１が延びてロープ２０の両側に垂れ下がっている。
帆立貝１０，１０を係止保持した係止ピン１…は、夫々の抜止片６，６がロープからの抜け出しを阻止している。
【００４５】
ところで、帆立貝の生育が進み、収穫が近い状態では、既述のように帆立貝の殻の外側や、ロープ外周に、イガイ（ヒルガイ）、フジツボ、ホヤ等の付着物（雑物）が付着する。
図では理解の便のため、帆立貝やロープに付着する雑物を外した状態で示しているが、
実際には、帆立貝１０の殻は雑物で膨れあがっており、また、ロープ２０は雑物が付着して大径となっている。
【００４６】
係止ピン１の軸部２の中間部５に設けた脆弱部７は、生育後、収穫時における帆立貝の重さよりも大きい力が係止ピンに掛かった際に破断する脆弱部である。
従って収穫前においては、図９に示したように、ロープ２０の取付孔２１内において切断されることなく係止ピン１は保持されており、ロープ２０への係止ピン１を含んで抜止片６，６の抜け止め作用もあって、帆立貝１０は、ロープ２０に保持されている（図８参照）。
【００４７】
次に帆立貝の収穫について説明する。
図７は、前記と同様に帆立貝の収穫作業の一例を示す説明図である。
生育後の帆立貝は、例えば、収穫船４０で水揚げされ、収穫される。
海中に投入されているロープ２０は、ガイドプーリ４２を通ってモータで駆動される水揚げプーリ４１（巻き揚げ機）により船上に引き上げられる。
【００４８】
ロープ２０の引き上げに際し、ロープに長さ方向に離間して配置されたプーリ４１，４２の間には、前記したように二股状、或いはＹ字形等の扱き部材４３，４３が配設されている。ロープ２０をこの扱き部材４３，４３間に通し、水揚げプーリ４１でロープ２０を引張、巻き上げる。
扱き部材４３，４３の二股状部材間には、ロープ２０の外径よりも大きい隙間からなる狭隘部４４が設けられており、この狭隘部４４に水揚げプーリ４１で引き上げられるロープ２０が通る。
【００４９】
図８は、扱き部材４３，４３間をロープ２０が通過し、扱かれる状態を示している。
生育後の帆立貝を吊り下げ、保持しているロープ２０は、水揚げプーリ４１の巻き上げ力で矢印のように引っ張られる。
扱き部材４３，４３間をロープ２０が通過する際、ロープ２０両側の扱き部材４３，４３の内側面にロープ２０に係止ピン１を介して保持された帆立貝１０，１０が当たる。
【００５０】
帆立貝１０，１０の矢印方向への移動は、扱き部材４３，４３で阻止され、係止ピン１は、ロープ２０の取付孔２１に通っている軸部中間部５を含んでその軸部２が引張されることとなる。
この状態を図８及び図９で示した。
【００５１】
図１０（ａ）〜（ｃ）は係止ピン１の脆弱部７の切断過程を示す説明図であり、ロープ２０の引張の継続で帆立貝１０，１０は扱き部材４３，４３で移動を阻止される。この結果、係止ピン１には帆立貝の重量以上の力が作用することとなる。
この力は、図１０（ａ）の矢印のように軸部２の中間部５の脆弱部７（切り込み）を引き裂く方向に作用し、引っ張り力の継続で（ｂ）に示すように脆弱部７（切り込み）は破断が開始され、抜止片６，６間の軸部の中間部５は、脆弱部７（切り込み）から５Ａ，５Ｂとして二つの部分に分断することとなる。
この状態を図１０の（ｃ）で示した。
【００５２】
図１１は、係止ピン１が脆弱部７から破断し、ロープ２０から帆立貝１０が分離し、且つ係止ピン１がロープから離脱した状態を示しており、図１２は図１１の丸で囲んだ１２部の拡大断面図である。
係止ピン１は、先ず、取付孔２１に貫通保持されている軸部２の中間部５の中央部の脆弱部７（切り込み）から優先的に破断する。
【００５３】
この結果、図１１、図１２に示したように、係止ピン１は軸部中間部５の中央部から１Ａ，１Ｂとして分離する。
係止ピン１は、軸部の中間部５が二つの部分１Ａ，１Ｂに分離した結果、２つの抜止片６，６が、ロープ２０の取付孔２１の外側に位置していることから、該抜止片６，６が取付孔２１の周辺部に引っ掛かることなく、該取付孔２１から分離した二つの部分１Ａ，１Ｂは抜け出すこととなる。
【００５４】
この状態を図１１、図１２で示した。
この結果、係止ピンの破断した二つの部分１Ａ，１Ｂはロープ２０の取付孔２１から抜け出し、帆立貝１０，１０は二つに分離した係止ピン半体１Ａ，１Ｂとともにロープ２０から離脱することとなる。
【００５５】
以上のように係止ピン１は、ロープ２０の取付孔２１の部分から脆弱部７により二つの部分１Ａ，１Ｂに破断、分離し、ロープ２０から離脱する。
ロープ２０から分離した係止ピン１の各部分１Ａ，１Ｂの分断した中間部５Ａ，５Ｂは、抜止片６，６がロープ２０の外側に臨んでいることから、取付孔２１から抜止片６，６に阻害されることなく容易に、迅速に、確実に抜け出す。
この状態を図１２で示した。
【００５６】
以上のように、ロープ２０を水揚げプーリ４１で引き上げ、巻き取り、プーリ４１，４２間に設けた扱き部材４３，４３間にロープ２０を通すことでロープ２０の両側に係止ピン１を介して吊り下げられた生育後の帆立貝１０，１０を、ロープ２０から取り外し、収穫することができる。
同時に、係止ピン１は、ロープ２０の取付孔２１に挿通されている抜止片６，６間の軸部の中間部５の脆弱部７（切り込み）から破断し、抜止片６，６で阻害されることなく帆立貝１０とともにロープ２０から抜け出す。
従って、係止ピン１はロープ２０に残留することが無い。
【００５７】
ロープ２０から離脱した係止ピン１の半体１Ａ，１Ｂを含む帆立貝１０は、扱き部材４３の下方に配置した収穫籠４５に収容され、収穫されることとなる。
この状態を図７で示した。
【００５８】
図１３及び図１４は実施例及び変更例を示す図で、係止ピンの要部のみを示す図である。
図１３では、脆弱部７を係止ピン１の軸部の中間部５が撓んで曲がる側のＶ形欠部７Ａを大きく設定し、反対側の欠部７Ｂを小さく設定したものである。
図１４では、実施例であり、脆弱部７を軸部の中間部５外周にカッター８で切り込み７Ｃを入れて形成し、切り込み７Ｃは、軸部全周に設けても、或いは軸部中間部５周の図の上下にのみ設けても良い。
【００５９】
図１５〜図２４は、本発明に係る係止ピンの参考例に係る係止ピンを示したものである。
図１５は、本実施例に係る係止ピンの全体を示す正面図であり、図１６は、図１５の要部の拡大図、図１７は、図１６の１７−１７線断面図である。
係止ピンは脆弱部の構成が異なるだけで、その他の構成は前記した第１実施例と基本構造は同様なので、同一部分に同一符号を付して詳細な説明は省略する。
【００６０】
図１５において、１は係止ピン、２は軸部、３，３は両端部の挿入部、４，４は係止部、５は軸部２の軸方向中間部、６，６は軸部中間部に設けた抜止片、７は脆弱部である。
本実施例では、脆弱部７の構成が前記した第１実施例と異なる構成である。
本実施例では、脆弱部７を係止ピン１の軸部２の中間部５周であって、前記した抜止片６，６の基部６ａ，６ａに近い部位で、中間部５の抜止片６，６の軸方向内方部位に軸方向に離間して２カ所（７，７）設けたものである。
２カ所の脆弱部７，７は同じ構造である。
【００６１】
脆弱部７，７は、前記した脆弱部と同様に、係止ピン１の両端の係止部４，４に帆立貝を係止、保持した状態で、且つ、育成中の帆立貝の重さ、従って生育後、収穫時における帆立貝の重さよりも大きい力が係止ピン１に掛かった際に破断するものとする。
【００６２】
脆弱部７は、図１６及び図１７に示したように、軸部２の一般部である中間部５の断面積よりもその断面積が小さい。
脆弱部７，７は、軸部２の中間部５に軸方向に挟んで軸方向に所定長さ離間して設けられ、軸部中間部５の径と同径或いは略々同径で、該中間部５に連続する一般部５１，５１の間に、断面積の小さい脆弱部７が夫々設けられる。
【００６３】
脆弱部７は、この例では、軸部２、具体的には中間部５の抜止片６，６の間で、抜止片６，６の基部６ａ，６ａの下方部位で、基部６ａ，６ａの軸方向の内側部位に、軸方向に離間して２カ所７，７を設けた。
従って、抜止片６，６は、脆弱部７，７の軸方向外側に位置することとなる。
【００６４】
図１６は、一方の脆弱部７を示しており、他方も同構造である。
脆弱部７は、一般部５１，５１間において軸方向中心部に向かって漸次径が小さくなり、中心部７１の径が最も小さい。
中心部７１から、一体に軸方向に延びる両側部７２，７２は、軸方向に離間した一般部５１，５１に向かって径が漸増し、軸方向に離間する両端部７３，７３で一般部５１，５１に合流し、連続する。
【００６５】
従って、断面積が小さい脆弱部７は、軸方向に離間した一般部５１の一方から中央部方向に円錐状部となり、円錐部が所定径となると中心部７１で逆円錐状部となって端部７３が一般部５１と合流する。
【００６６】
以上において、最も断面積が小さい中心部７１の外周及び中心部７１を挟んで円錐状、
逆円錐状の両側部７２，７２の外周部には翼状の複数の放射壁部７４…を一体に設ける。
この例では、４枚の放射壁部７４…を等角間隔（９０°間隔）で径方向外方に翼状に設け、従って断面は図３に示したしたように十字形である。
【００６７】
放射壁部７４…は、その外面７５が軸部中間部５の一般部５１，５１の外周５２と一致する。
放射壁部７４…は、一般部５１，５１の端面、中心部７１の外周、両側部７２，７２の円錐状の外周面と連続し、中心部７１、両側部７２，７２、放射壁部７４…は、一般部５１，５１を含んで軸部２の中間部５と全一体に形成されている。
【００６８】
次に、この例に係る係止ピン１のロープ２０への取付孔２１への挿入、挿通作業を説明する。
ロープ２０に係止ピン１を通す取付孔２１を穿設する。
取付孔２１は、ロープ２０に長さ方向に直交するように、例えばドリル１２で穿設するものである。
【００６９】
ところで取付孔２１は、係止ピン１が軽圧入程度で挿入し得る径とする。
ロープ２０への穿孔は、自動機で実施される。
図１８の（ａ）はドリル１２による穿孔直前の状態を示し、（ｂ）は穿孔後、ドリル１
２が後退している状態を示している。
【００７０】
取付孔２１の穿孔後、係止ピン１を取付孔２１に挿通する。
係止ピン１の取付孔２１への挿通は、自動機（ピン打機）により実施される。
係止ピン１を図１８（ｃ）のように一端部３Ａ側から矢印で示すように移動し、ロープ２０の取付孔２１に挿入させる。
【００７１】
ところで係止ピン１は、取付孔２１への挿通に際し、先部に係止部４Ａを有すること、
進行方向に臨む抜止片６Ａを有し、これら４Ａ，６Ａは、挿通孔１１の径よりも大きく、外方に突出していることから、挿入時に抵抗となるが、係止部４Ａ、抜止片６Ａは係止ピンの挿入方向に対し順方向に傾斜しているので順方向に撓み、進入が容易になされることとなる。
【００７２】
ところで、係止ピン１には、抜止片６，６の間で、軸部２の中間部５には前述したように２カ所の脆弱部７、７が形成されている。
係止ピン１のロープ２０の取付孔２１への挿入に際し、軸周に突出した係止部４Ａ、抜止片６Ａの取付孔２１への進入に際し、係止部４Ａ、抜止片６Ａが撓み易い方向ではあるが、係止部４Ａ、抜止片６Ａの取付孔２１への進入時に抵抗となり、係止ピン１には軸方向への力が作用することとなる。
この力は、脆弱部７，７にも作用し、脆弱部７，７を曲げようとし、座屈する力が作用することとなる。
【００７３】
軸部２の一般部５１よりも断面積が小さい部位で形成された脆弱部７，７は、軸部２の一般部５１，５１と一体の中心部７１と、この中心部７１に一体に形成された放射状に延びる一体の複数の放射壁部、この例では、十字形をなすように４枚の放射壁部７４…とで
構成されている。
複数枚、実施例では４枚の翼状の放射壁部７４…が軸方向に延びており、放射壁部７４…により脆弱部７，７が構成されているので、脆弱部７の軸方向への剛性が向上し、係止ピン１の軸方向への力に対して曲がり難く、極めて座屈し難くなる。
【００７４】
従って、係止ピン１をロープ２０の取付孔２１へ挿入するに際し、ピン打機による自動ピン挿入作業時に、脆弱部７，７の部分で曲がったりすることなく、直線状態を保持して円滑に係止ピン１をロープ２０の取付孔２１に挿入することができる。
従って、係止ピンを自動機を用いて、係止ピン１が曲がることなく、直線状態を維持して円滑、確実に、迅速に効率良くロープ２０の取付孔２１に打ち込む（挿通）ことができる。
【００７５】
図１８の（ｄ）は、係止ピン１をロープ２０の取付孔２１に挿通し、保持させた状態を示している。
係止ピン１の一対の抜止片６，６間の中間部５が、ロープ２０の取付孔２１に臨み、抜止片６，６は取付孔２１の両開口部の外側に臨んでロープ２０の外周に位置し、取付孔２１から係止ピン１がの抜け出すのを防止する。
【００７６】
係止ピン１の２カ所の脆弱部７，７は、前記した通り抜止片６，６の基部近傍で、抜止片６，６間に設けられているので、ロープ２０の取付孔２１の開口部に極めて近い外側に位置している。
図１８（ｄ）は、係止ピン１をロープ２０に取付孔２１を介して挿通、保持させた状態を示しているが、併せて帆立貝の耳片に穿孔し、帆立貝の穿孔部（耳吊り孔）に係止ピン１の挿入部３を通し、係止部４を穿孔部を通して係止部の返し構造で係止ピン端部に係止、保持する。
【００７７】
図１９は、この例に係る係止ピン１の両先部に帆立貝１０，１０を係止、保持した状態を示す図である。帆立貝１０，１０は、既述のように耳片１１，１１の穿孔部を介して、係止ピン１の両先部に係止されて吊り下げられ、穿孔部からの抜け出しは係止部４，４で阻止され、保持されるものである。
このように、多数の帆立貝１０…を係止ピン１…を介してロープ２０に係止、保持させた状態で、ロープ２０を海中に垂下し、帆立貝の耳吊り養殖を実施する。
【００７８】
ところで、この例では、放射壁部７４…の外面７５を軸部２（その中間部５）の一般
部５１の外周５２と一致させた。
仮に、放射壁部５４…の外面７５を、一般部の外周５１よりも突出させたとしよう。
これによれば、脆弱部７は座屈し難くなる。しかしながら、係止ピン１をロープ２０の取付孔２１に挿通（ピン打ち）するときに、脆弱部７が、より座屈し難くはなる。
しかしながら、係止ピン１をロープ２０の取付孔２１に挿通する際、取付孔２１に引っ掛かりが生じ、挿通作業に支障を来すこととなる。
【００７９】
一方、放射壁部７４…の外面７５を一般部５１の外周５２よりも窪ませると、取付孔２１への挿通作業は容易化するが、係止ピン１は座屈し易くなる。
この点、この例のように、放射壁部７４…の外面７５を軸部２の一般部５１の外周と一致させたので放射壁部７４…は軸部外周に突出せず、脆弱部７，７はロープ取付孔への挿通に際して抵抗となることが無く、取付孔２１の挿通が円滑に、容易になされることとなる。
一方、係止ピン１のロープ２０の取付孔２１への挿通時に座屈し難くなる。
従って、係止ピンの挿通作業（ピン打ち作業）が曲がることなく、円滑に、容易に、確実になされる。
【００８０】
帆立貝は成長し、係止ピン１が延びてロープ２０の両側に垂れ下がる。これを前記と同様に図２０で示した。
帆立貝１０，１０を係止保持した係止ピン１…は、前記したように取付孔２１の開口部両側に設けられた脆弱部７，７の部分が、放射壁部７４…で曲がり難くなっており、座屈し難くくはあるが、他の部位に比較して断面積が小さいので、脆弱部７，７の部分から曲がり、垂れ下がるが、脆弱部７，７の軸方向外側部位に抜止片６，６が設けられており、ロープ２０からの抜け出しは阻止される。
【００８１】
図２１は、第２この例に係る係止ピンを用いる収穫時における扱き部材間をロープが通過し、扱かれる状態を示す説明図である。
前記した通り二股状の扱き部材４３，４３間に通し、前記した水揚げプーリでロープ２０は引張されて巻き上げられる。
前記したように扱き部材４３，４３間をロープ２０が矢印のように引っ張られて通過し、扱かれ、扱き部材４３，４３間をロープ２０が通過する際、ロープ２０両側の扱き部材４３，４３の内側面にロープ２０に係止ピン１を介して保持された帆立貝１０，１０が当たる。
【００８２】
この際、ロープ２０の矢印方向への移動で、扱き部材４３，４３で阻止された帆立貝１０，１０により、係止ピン１はロープ２０の取付孔２１に通っている軸部中間部５を含んで引張される。
この結果、前記と同様に係止ピン１は、取付孔２１に貫通保持されている軸部２の中間部５の断面積が小さい脆弱部７，７の部分から、優先的に破断することとなる。
【００８３】
この結果、係止ピン１は軸部中間部５の軸方向に離間した２カ所の脆弱部７，７から分離する。
係止ピン１は、軸部の中間部５が分離した結果、２つの抜止片６，６がロープ２０の取付孔２１の外側に位置していることから、抜止片６，６が取付孔２１の周辺部に引っ掛かることなく取付孔２１から分離して抜け出す。
この結果、二つに破断した係止ピンはロープ２０の取付孔２１から抜け出し、帆立貝１０，１０は破断した係止ピンとともにロープ２０から離脱することとなる。
【００８４】
ところで、係止ピン１の両端部の帆立貝１０，１０は、実際には、外部に雑物が付着しているので、夫々の重量が異なること、生育度合いが夫々異なり、外形、外寸が異なることから、左右の扱き部材４３，４３の一方にこの側の帆立貝が先行して扱かれることが多く、脆弱部７，７は、一方のみが他方に先行して破断する場合が通常である。
この結果、脆弱部の一方が、他方に先行して破断し、抜止片６，６間の軸部中間部５は、一方の脆弱部から破断し、他方は繋がった状態となり、続いて他方の脆弱部が破断することから、ロープ２０の取付孔２１から中間部５は抜け出すこととなる。
【００８５】
図２２は、本発明に係る係止ピンの上記例のの変更例の正面図である。
この例に係る係止ピンは、基本構造が前記例と同じなので、同一部分には同一符
号を付して詳細な説明は省略する。
この例における係止ピンでは、前記した脆弱部７を軸部２の中間部５の抜止片６，６
間の長さ方向の中央部に１カ所設けたものである。
脆弱部７は、前記実施例と同様に小径部と複数枚、前記した実施例と同様に、例えば４枚の放射壁部からなり、断面は十字形である。
【００８６】
図２３は、脆弱部の放射壁部の変更例であり、図１５、図２２の係止ピンともに共
通する変更例である。
本例では、図１７と同様に脆弱部の断面において、放射壁部７４Ａ…を等角度間隔
を開けて３枚とし、断面Ｙ字形としたものである。
【００８７】
図２４は、脆弱部の放射壁部の更なる変更例であり、本例では、図１７と同様に、脆弱部７の断面において、放射壁部７４Ｂ…を等角度間隔を開けて５枚とし、断面星形としたものである。
以上のように、放射壁部の数は任意であり、又放射壁部を含む脆弱部の断面形状は任意である。
【産業上の利用可能性】
【００８８】
本発明は、帆立貝の垂下式養殖に利用することができる。
【符号の説明】
【００８９】
１…係止ピン、  ２…軸部、  ３…挿入部、  ４…係止部、  ５…軸部中間部、  ６…抜止片、  ７…脆弱部、  ７Ｃ…切り込み、  ７１…中心部、  ７４…放射壁部、  １０…帆立貝、  １１…耳片、  ２０…ロープ、  ２１…ロープの貫通孔である取付孔、  ４１…巻き揚げ機、  ４３…扱き部材、  ４４…狭隘部。
【図１】
2019022485.tif 000003
【図２】
2019022485.tif 000004
【図３】
2019022485.tif 000005
【図４】
2019022485.tif 000006
【図５】
2019022485.tif 000007
【図６】
2019022485.tif 000008
【図７】
2019022485.tif 000009
【図８】
2019022485.tif 000010
【図９】
2019022485.tif 000011
【図１０】
2019022485.tif 000012
【図１１】
2019022485.tif 000013
【図１２】
2019022485.tif 000014
【図１３】
2019022485.tif 000015
【図１４】
2019022485.tif 000016
【図１５】
2019022485.tif 000017
【図１６】
2019022485.tif 000018
【図１７】
2019022485.tif 000019
【図１８】
2019022485.tif 000020
【図１９】
2019022485.tif 000021
【図２０】
2019022485.tif 000022
【図２１】
2019022485.tif 000023
【図２２】
2019022485.tif 000024
【図２３】
2019022485.tif 000025
【図２４】
2019022485.tif 000026
【図２５】
2019022485.tif 000027
【図２６】
2019022485.tif 000028
【図２７】
2019022485.tif 000029
【図２８】
2019022485.tif 000030
【図２９】
2019022485.tif 000031
【図３０】
2019022485.tif 000032
【図３１】
2019022485.tif 000033
【図３２】
2019022485.tif 000034
【図３３】
2019022485.tif 000035
【図３４】
2019022485.tif 000036
【図３５】
2019022485.tif 000037